(57)【特許請求の範囲】
【請求項１】
ロール状に巻回されている長尺帯状の隔離シートを間欠的に送り出す少なくとも２個一対の送りローラを備えた第１送り手段と、第１送り手段から送られてくる隔離シートを所定の長さにカットするカット手段と、カットされた一枚の隔離シ−トを底板上に形成したガイド溝内に垂直に立てた状態で移送可能に保持するガイド手段と、ガイド手段のガイド溝内に保持されている隔離シートを間欠的に送り出しその末端を保持する少なくとも２個一対の送り小ローラを備えた第２送り手段と、搬送機構上の２個の寿司を一個々々持ち上げ互いに接触させることで、当該２個の寿司の対向側面にて前記第２送り手段の送りローラで末端を保持されている隔離シートを挾持する搬送手段を具備してなるものであって、該搬送手段は、前記搬送機構と前記第２送り手段で保持されている隔離シート両側との間を移動可能に設けられると共に、寿司挟持用の一対の作動アームが開閉自在に対設されている駆動機構からなることを特徴とするツイン寿司パック用の隔離シート供給機構。
【発明の詳細な説明】
【０００１】
【発明の属する技術分野】
本発明は、ツイン寿司パック用の隔離シート供給機構に関する。
【０００２】
【従来の技術】
本発明者は、先にプラスチック製の薄い台板に２個の寿司（握り寿司）をその間にバランあるいはバラン様のプラスチックシート等の隔離シートを介在させた状態で並列載置し、全体を透明なプラスチックフイルムで密封包装したツイン寿司パックを提案している（特願平９−１３４３０５号）。
【０００３】
従来、前記隔離シートを台板上の２個の寿司の間に供給するのは全て手作業で行なわなければならなかった。
【０００４】
【発明が解決しようとする課題】
したがって、従来は剥離シートの供給に手間と時間を要し、作業効率が極めて悪いという問題があった。
【０００５】
【目的】
本発明は、上記した従来の技術の有するこのような問題点に鑑みなされたもので、隔離シートの２個の寿司間への供給を機械により自動的に行なえるようにしたツイン寿司パック用の隔離シート供給機構を提供することを目的とする。
【０００６】
【課題を解決するための手段】
上記目的を達成するために、本発明に係るツイン寿司パック用の隔離シート供給機構は、ロール状に巻回されている長尺帯状の隔離シートを間欠的に送り出す少なくとも２個一対の送りローラを備えた第１送り手段と、第１送り手段から送られてくる隔離シートを所定の長さにカットするカット手段と、カットされた隔離シートを垂直に立てた状態で保持移送するガイド手段と、ガイド手段に保持されている隔離シートを間欠的に送り出しその末端を保持する少なくとも２個一対の送り小ローラを備えた第２送り手段と、搬送機構上の２個の寿司を一個々々持ち上げ互いに接触させることで、当該２個の寿司の対向側面にて前記第２送り手段で末端を保持されている隔離シートを挾持する搬送手段を具備してなることを特徴とする。
【０００７】
【発明の実施の形態】
以下、本発明の実施の形態を図面に基づいて説明する。
図１は本発明に係るツイン寿司パック用の隔離シート供給機構における隔離シートを２個の寿司で挾持する前の状態の全体斜視図を示し、図２はターンテーブルの凹部内の台板上へ作動アームで２個の寿司を載置した状態を示す側断面図を示し、図３はツイン寿司パックの斜視図を示す。
【０００８】
本発明ツイン寿司パック用の隔離シート供給機構Ａは、隔離シート６を間欠的に送り出す第１送り手段１と、隔離シート６を所定の長さにカットするカット手段２と、カットされた隔離シート６ａのガイド手段３と、隔離シート６ａをガイド手段３から送り出しその末端を保持する第２送り手段４と、２個の寿司Ｍ、Ｍを各々持ち上げ互いに接触させることにより隔離シート６ａを挾持する搬送手段５、５とを主要構成要素としている。
【０００９】
第１送り手段１は図１に示したように、ロール状に巻回されている長尺帯状の隔離シート６を図中矢印方向に送り出す２個一対の送りローラ７、７を備えている。これら送りローラ７、７は隔離シート６の両側に垂直状態で互いに図中矢印に示す反対方向へ回動自在に軸支されている。
８、８は互いに噛み合う送りローラ７、７駆動用のギヤ、９は巻きロールから送られてくる隔離シート６のガイドローラを示す。
なお、送りローラ７、７は図示のように一対だけでなく、隔離シート６の両側に複数対配設しても良いことは勿論である。
【００１０】
カット手段２は図示したように、隔離シート６を所定の長さ（寿司の長さより僅かに長目）にカットする左右に開閉自在な鋏み１０を備えている。
鋏み１０はその先端刃部１０ａ、１０ａが隔離シート６の両側に垂直状態に配置されるように保持されている。そして、鋏み１０の基端には当該鋏み１０の先端刃部１０ａ、１０ａを開き方向に付勢するバネ１１を介設させ、図示しない作動機構によりバネ１１の付勢力に抗して鋏み１０の基端を互いに押圧し接近させることにより先端刃部１０ａ、１０ａを交合させて隔離シート６を所定の長さに摺り切りする。
なお、カット手段２としては図示のような鋏み１０以外に、例えば２枚の板刃（図示しない）を互いに交合させるような構成とすることもできる。
【００１１】
ガイド手段３は図示したように、硬質プラスチック材よりなるガイド板１２を備えている。このガイド板１２は底板１２ａの上面の左右両側に僅かの間隔を置くと共に、底板１２ａの先端をやゝ突出させた状態で２個の略直方体形状のガイドブロック１２ｂ、１２ｂを載置することによって構成され、斯くして底板１２ａ上のガイドブロック１２ｂ、１２ｂ間にはカットされた隔離シート６ａのガイド溝１２ｃが縦設される。
【００１２】
第２送り手段４は図１に示したように、ガイド手段３におけるガイドブロック１２ｂ、１２ｂ間のガイド溝１２ｃ内へ挾入されている隔離シート６ａをガイドブロック１２ｂ、１２ｂから送り出し保持する２個一対の送り小ローラ１３、１３を備えている。これら送り小ローラ１３、１３はガイド手段３の底板１２ａ上面の左右両側に垂直状態で互いに図中矢印で示す反対方向へ回動自在に軸支されている。そして、これら送り小ローラ１３、１３の回動によってガイド手段３から送り出された隔離シート６ａはその末端が送り小ローラ１３、１３と底板１２ａの先端突出部によって図示のように垂直状態で突出保持される。
図中１４、１４は互いに噛み合う送り小ローラ１３、１３駆動用のギヤを示す。第１送り手段１のギヤ８、８及び第２送り手段４のギヤ１４、１４は共に、図示しない駆動機構に連動連結され、各図中矢印方向へ回動するものである。
【００１３】
搬送手段５、５は図１に示したように、寿司成形機の搬送コンベア１５と、本発明隔離シートの供給機構Ａと、図２に示す包装機の回転テーブル１６との間を各移動可能に設けられた２個の駆動機構１７、１７と、その下部に先端が開閉自在となるよう対設させた、各総計四本で２対とした作動アーム１８、１８、１８′、１８′とを具備して構成される。
なお、各作動アーム１８、１８、１８′、１８′の先端は寿司Ｍを挾持し易いように各内向きに湾曲させてある。図中１９は各駆動機構１７、１７の下部中央に昇降自在に設けられた寿司Ｍの押し板を示す。
【００１４】
次に、上記の構成における隔離シート６の供給方法について説明する。
先ず、ロール状に巻かれた隔離シート６を第１送り手段の送りローラ７、７の間欠回転により間欠的に繰り出し、隔離シート６の先端側をガイド手段３のガイド溝１２ｃに挾入させた状態でカット手段２の鋏み１０を交合させることにより当該隔離シート６を所定の長さにカットする。
【００１５】
こうしてカットされた隔離シート６ａは第２送り手段４の送り小ローラ１３、１３の間欠回転によりガイド溝１２ｃから間欠的に繰り出され、その末端が送り小ローラ１３、１３と底板１２ａの先端側の突出部によって図１に示すように垂直状態で水平に突出保持される。
【００１６】
次いで、搬送手段５、５の両駆動機構１７、１７を寿司成形機の搬送コンベア１５、上面へ移動させ、開状態の各作動アーム１８、１８、１８′、１８′を閉じることで寿司Ｍ、Ｍを挾持した後、再び駆動機構１７、１７を前記隔離シート６ａの両側へ対向移動させ、互いに寿司Ｍ、Ｍの対向側面を接触させることにより隔離シート６ａを寿司Ｍ、Ｍで挾持する。この際、寿司Ｍ、Ｍを接触させる直前に送り小ローラ１３、１３を少し回動させると、隔離シート６ａは寿司Ｍ、Ｍの長さ方向の前後に摺れなく挾持できる。
【００１７】
次いで、駆動機構１７、１７を図２に示す包装機のターンテーブル１６の凹部１６ａの上面へ移動させ、垂直に降下させることで凹部１６ａ底部に敷設された台板２０上面に寿司Ｍ、Ｍを移送した後、各作動アーム１８、１８、１８′、１８′を拡開してから押し板１９を降下させ、再び駆動機構１７、１７を上昇させると、台板２０上面に２個の寿司Ｍ、Ｍがその間に１枚の隔離シート６ａを介挿した状態で並列載置される。
【００１８】
次いで、ターンテーブル１６が間欠回転し、凹部１６ａから押し上げられた台板２０上の寿司Ｍ、Ｍは包装機へ転位されて図３に示したように透明な包装用フイルム２１にて密封包装されることでツイン寿司パックＰが出来上がる。
【００１９】
ところで、上記した隔離シート６としては、表面にバラン模様を印刷したプラスチックシートが好適であるが、その他の印刷模様を施したものでも良いことは勿論である。
【００２０】
【発明の効果】
以上のとおり、本発明はロール状に巻回されている長尺帯状の隔離シートを所定の長さにカットし、このカットした隔離シートの両面から２個の寿司を押圧させることで両寿司の間に隔離シートを挾持させるようにしたもので、これら全てを機械により自動化したものであるから、隔離シート供給に要する作業時間の短縮とロスの減少に貢献でき、以って作業効率が極めて向上すると共に、製造コストを低減させることができる。
【図面の簡単な説明】
【図１】本発明に係るツイン寿司パック用の隔離シート供給機構における２個の寿司で挾持する前の状態の全体斜視図を示す。
【図２】ターンテーブルの凹部内の台板上へ作動アームで２個の寿司を載置した状態を示す断面図を示す。
【図３】ツイン寿司パックの斜視図を示す。
【符号の説明】
１  第１送り手段
２  カット手段
３  ガイド手段
４  第２送り手段
５  搬送手段
６  隔離シート
７  送りローラ
１０  鋏み
１３  送り小ローラ
【図１】
0003946834.tif 000002
【図２】
0003946834.tif 000003
【図３】
0003946834.tif 000004